(57)【要約】【課題】マザーボード及びサーバーを提供する。【解決手段】マザーボードは、スイッチング回路と、ＳＡＴＡコネクターと、第一ＳＡＳコネクターと、第二ＳＡＳコネクターが設置されたＳＡＳカードに接続するコネクターとを備え、スイッチング回路は、ＳＡＴＡコネクター及び第一ＳＡＳコネクターに接続され、第一ＳＡＳコネクターは、第二ＳＡＳコネクターに接続され、スイッチング回路がＳＡＴＡ信号を受信する場合、スイッチング回路と第一ＳＡＳコネクターとの間の接続を切断して、マザーボードはスイッチング回路及びＳＡＴＡコネクターによってＳＡＴＡハードディスクドライブと通信し、スイッチング回路がＳＡＳ信号を受信する場合、スイッチング回路と第一ＳＡＳコネクターとの間の接続を導通して、マザーボードはＳＡＳカード、第一ＳＡＳコネクター、スイッチング回路及びＳＡＴＡコネクターによって、ＳＡＳハードディスクドライブと通信する。【選択図】図１
2012226736.tif 000002
【特許請求の範囲】
【請求項１】
スイッチング回路と、ＳＡＴＡコネクターと、第一ＳＡＳコネクターと、ＳＡＳカードに接続するコネクターとを備えるマザーボードであって、
前記ＳＡＳカードには、第二ＳＡＳコネクターが設置され、
前記スイッチング回路は、前記ＳＡＴＡコネクター及び前記第一ＳＡＳコネクターに接続され、
前記第一ＳＡＳコネクターは、前記第二ＳＡＳコネクターに接続され、
前記スイッチング回路は、受信した信号を判断して、前記スイッチング回路と前記第一ＳＡＳコネクターとの間の接続を制御し、
前記スイッチング回路がＳＡＴＡ信号を受信する場合、前記スイッチング回路と前記第一ＳＡＳコネクターとの間の接続を切断して、前記マザーボードが前記スイッチング回路及び前記ＳＡＴＡコネクターによってＳＡＴＡハードディスクドライブと通信するようにし、
前記スイッチング回路がＳＡＳ信号を受信する場合、前記スイッチング回路と前記第一ＳＡＳコネクターとの間の接続を導通して、前記マザーボードが前記ＳＡＳカード、前記第一ＳＡＳコネクター、前記スイッチング回路及び前記ＳＡＴＡコネクターによって、ＳＡＳハードディスクドライブと通信するようにすることを特徴とするマザーボード。
【請求項２】
前記ＳＡＳカードは、アダプターボードによって前記マザーボードに接続されることを特徴とする請求項１に記載のマザーボード。
【請求項３】
前記マザーボードに設置される前記アダプターボードに接続されるコネクターは、ＰＣＩＥコネクターであることを特徴とする請求項２に記載のマザーボード。
【請求項４】
ハードディスクドライブは、ＳＡＴＡケーブルによって、前記マザーボードのＳＡＴＡコネクターに接続されることを特徴とする請求項１に記載のマザーボード。
【請求項５】
シャシーと、前記シャシー内に収容される複数のハードディスクドライブと、電源と、マザーボードと、ＳＡＳカードとを備えるサーバーであって、
各々のハードディスクドライブには、パワーインターフェース及びデータインターフェースが設けられ、
前記ＳＡＳカードには、第二ＳＡＳコネクターが設置され、
前記マザーボードは、スイッチング回路と、ＳＡＴＡコネクターと、第一ＳＡＳコネクターと、前記ＳＡＳカードに接続するコネクターとを備え、
前記スイッチング回路は、前記ＳＡＴＡコネクター及び前記第一ＳＡＳコネクターに接続され、
前記第一ＳＡＳコネクターは、前記第二ＳＡＳコネクターに接続され、
前記スイッチング回路は、受信した信号を判断して、前記スイッチング回路と前記第一ＳＡＳコネクターとの間の接続を制御し、
前記スイッチング回路がＳＡＴＡ信号を受信する場合、前記スイッチング回路と前記第一ＳＡＳコネクターとの間の接続を切断して、前記マザーボードが前記スイッチング回路及び前記ＳＡＴＡコネクターによってＳＡＴＡハードディスクドライブと通信するようにし、
前記スイッチング回路がＳＡＳ信号を受信する場合、前記スイッチング回路と前記第一ＳＡＳコネクターとの間の接続を導通して、前記マザーボードが前記ＳＡＳカード、前記第一ＳＡＳコネクター、前記スイッチング回路及び前記ＳＡＴＡコネクターによって、ＳＡＳハードディスクドライブと通信するようにすることを特徴とするサーバー。
【発明の詳細な説明】
【技術分野】
【０００１】
本発明は、マザーボードに関するものであり、特に異なるタイプのハードディスクを接続することができるマザーボード及びこのマザーボードを用いるサーバーに関するものである。
【背景技術】
【０００２】
サーバーに搭載されているハードディスクは、インターフェースの違いにより、主にＳＡＴＡ（Ｓｅｒｉａｌ  Ａｄｖａｎｃｅｄ  Ｔｅｃｈｎｏｌｏｇｙ  Ａｔｔａｃｈｍｅｎｔ）タイプとＳＡＳ（Ｓｅｒｉａｌ  Ａｔｔａｃｈｅｄ  ＳＣＳＩ）タイプの２種類に大きく分かれる。ＳＡＴＡハードディスクを適用するサーバーにＳＡＳハードディスクを搭載しようとする場合、サーバーにＳＡＳカードを挿入してから、ＳＡＳケーブルによってＳＡＳハードディスクとＳＡＳカードを接続することを必要とする。
【発明の概要】
【発明が解決しようとする課題】
【０００３】
しかし、ＳＡＳケーブルは、厚いケーブルであるので、ＳＡＳカードとＳＡＳハードディスクとの間の距離が遠ければ、ＳＡＳケーブルは広い空間を占用し、且つ複数のＳＡＳハードディスクを接続する場合、ＳＡＳケーブルはさらに多くなり、サーバーの放熱及び組立に不便をもたらす。
【０００４】
本発明の目的は、前記課題を解決し、少ないケーブルを採用しても異なるタイプのハードディスクを接続することができるマザーボード及びこのマザーボードを採用するサーバーを提供することである。
【課題を解決するための手段】
【０００５】
本発明に係るマザーボードは、スイッチング回路、ＳＡＴＡコネクター、第一ＳＡＳコネクター、ＳＡＳカードに接続するコネクターを備え、前記ＳＡＳカードには、第二ＳＡＳコネクターが設置され、前記スイッチング回路は、前記ＳＡＴＡコネクター及び前記第一ＳＡＳコネクターに接続され、前記第一ＳＡＳコネクターは、前記第二ＳＡＳコネクターに接続され、前記スイッチング回路は、受信した信号を判断して、前記スイッチング回路と前記第一ＳＡＳコネクターとの間の接続を制御し、前記スイッチング回路がＳＡＴＡ信号を受信する場合、前記スイッチング回路と前記第一ＳＡＳコネクターとの間の接続を切断して、前記マザーボードが前記スイッチング回路及び前記ＳＡＴＡコネクターによってＳＡＴＡハードディスクドライブと通信するようにし、前記スイッチング回路がＳＡＳ信号を受信する場合、前記スイッチング回路と前記第一ＳＡＳコネクターとの間の接続を導通して、前記マザーボードが前記ＳＡＳカード、前記第一ＳＡＳコネクター、前記スイッチング回路及び前記ＳＡＴＡコネクターによって、ＳＡＳハードディスクドライブと通信するようにする。
【０００６】
本発明に係るサーバーは、シャシーと、前記シャシー内に収容される複数のハードディスクドライブ、電源、マザーボード及びＳＡＳカードを備え、各々のハードディスクドライブには、パワーインターフェース及びデータインターフェースが設けられ、前記ＳＡＳカードには、第二ＳＡＳコネクターが設置され、前記マザーボードは、スイッチング回路、ＳＡＴＡコネクター、第一ＳＡＳコネクター、前記ＳＡＳカードに接続するコネクターを備え、前記スイッチング回路は、前記ＳＡＴＡコネクター及び前記第一ＳＡＳコネクターに接続され、前記第一ＳＡＳコネクターは、前記第二ＳＡＳコネクターに接続され、前記スイッチング回路は、受信した信号を判断して、前記スイッチング回路と前記第一ＳＡＳコネクターとの間の接続を制御し、前記スイッチング回路がＳＡＴＡ信号を受信する場合、前記スイッチング回路と前記第一ＳＡＳコネクターとの間の接続を切断して、前記マザーボードが前記スイッチング回路及び前記ＳＡＴＡコネクターによってＳＡＴＡハードディスクドライブと通信するようにし、前記スイッチング回路がＳＡＳ信号を受信する場合、前記スイッチング回路と前記第一ＳＡＳコネクターとの間の接続を導通して、前記マザーボードが前記ＳＡＳカード、前記第一ＳＡＳコネクター、前記スイッチング回路及び前記ＳＡＴＡコネクターによって、ＳＡＳハードディスクドライブと通信するようにする。
【発明の効果】
【０００７】
本発明のサーバーは、マザーボードにスイッチング回路及びＳＡＳコネクターを設置し、ＳＡＳカードのＳＡＳコネクターとマザーボードのＳＡＳコネクターを接続して、ＳＡＳハードディスクドライブとの通信を実現し、従ってＳＡＳハードディスクドライブを接続する場合、多数のＳＡＳケーブルの使用によるサーバーの放熱及び組立が不便である問題を解決する。
【図面の簡単な説明】
【０００８】
【図１】本発明の実施形態に係るサーバーを示す図である。
【図２】図１に示すサーバーにおいて、マザーボードがＳＡＴＡハードディスク又はＳＡＳハードディスクに接続する状態を示す図である。
【発明を実施するための形態】
【０００９】
以下、図面を参照して、本発明の実施形態について説明する。
【００１０】
図１及び図２を参照すると、本発明の実施形態に係わるサーバー１００は、シャシー１０と、前記シャシー１０内に収容されるマザーボード２０と、電源２５と、ハードディスクドライブユニット３０と、ＳＡＳカード４０と、を備える。
【００１１】
前記ハードディスクドライブユニット３０は、ハウジング３２及び前記ハウジング３２内に収容される複数のハードディスクドライブ３１を備える。前記ハウジング３２は、前記シャシー１０の前端部分に固定されており、且つ前記シャシー１０の前側に向かって開口３３が設けられ、前記ハードディスクドライブ３１を前記開口３３から前記ハウジング３２内に挿入するか又は前記ハウジング３２から前記ハードディスクドライブ３１を取り出す。前記ハードディスクドライブ３１は、ＳＡＴＡ（Ｓｅｒｉａｌ  Ａｄｖａｎｃｅｄ  Ｔｅｃｈｎｏｌｏｇｙ  Ａｔｔａｃｈｍｅｎｔ）ハードディスクドライブ又はＳＡＳ（Ｓｅｒｉａｌ  Ａｔｔａｃｈｅｄ  ＳＣＳＩ）ハードディスクドライブである。各々の前記ハードディスクドライブ３１のバックエンドには、パワーインターフェース３５及びデータインターフェース３７が設けられる。前記データインターフェース３７は、ＳＡＴＡインターフェース又はＳＡＳインターフェースである。
【００１２】
前記マザーボード２０は、前記シャシー１０の底面に設置される。前記マザーボード２０には、前記ハードディスクドライブ３１のデータインターフェース３７に対応する複数のＳＡＴＡコネクター２２、スイッチング回路８０、ＳＡＳコネクター２４及びＰＣＩＥコネクター（図示せず）が設置される。前記ＳＡＳカード４０は、前記マザーボード２０とＳＡＳハードディスクドライブとが通信する際の変換機能を実現するために用いられる。前記ＳＡＳカード４０には、ＳＡＳコネクター４４が設置され、前記ＳＡＳコネクター４４と前記マザーボード２０の前記ＳＡＳコネクター２４は、ケーブル７０によって電気的に接続され、前記ＳＡＳカード４０は、アダプターボード２８によって前記マザーボード２０のＰＣＩＥコネクターに電気的に接続されて、前記マザーボード２０と通信する。前記スイッチング回路８０は、前記ＳＡＴＡコネクター２２及び前記ＳＡＳコネクター２４に接続される。前記電源２５には、前記ハードディスクドライブ３１のパワーインターフェース３５に対応する複数の電源インターフェース（図示せず）が設けられる。本実施形態において、前記ＳＡＳカード４０のＳＡＳコネクター４４は水平方式に設置されるので、前記マザーボード２０のＳＡＳコネクター２４に便利に接続することができる。本実施形態において、前記ＳＡＳカード４０を前記サーバー１００に挿入接続しても前記サーバー１００の組立に影響しないならば、前記ＳＡＳカード４０を前記マザーボード２０のＰＣＩＥコネクターに直接に挿入接続することができる。
【００１３】
図２を参照すると、前記ハードディスクドライブ３１がＳＡＴＡハードディスクドライブである場合、前記ハードディスクドライブ３１のパワーインターフェース３５は、ケーブル６０によって前記電源２５の電源インターフェースに接続され、前記ハードディスクドライブ３１のデータインターフェース３７（即ちＳＡＴＡインターフェースである）は、ＳＡＴＡケーブル５０によって前記マザーボード２０のＳＡＴＡコネクター２２に接続される。それから前記サーバー１００をパワーオンすると、前記スイッチング回路８０は、前記ＳＡＴＡコネクター２２及び前記ＳＡＴＡケーブル５０によって前記ハードディスクドライブ３１からのＳＡＴＡ信号を受信し、前記スイッチング回路８０と前記ＳＡＳコネクター２４との間の接続を切断して、前記マザーボード２０が前記スイッチング回路８０及び前記ＳＡＴＡコネクター２２によって前記ＳＡＴＡハードディスクドライブ３１と通信するようにする。
【００１４】
前記ハードディスクドライブ３１がＳＡＳハードディスクドライブである場合、前記ハードディスクドライブ３１のパワーインターフェース３５は、ケーブル６０によって前記電源２５の電源インターフェースに接続され、前記ハードディスクドライブ３１のデータインターフェース３７（即ちＳＡＴＡインターフェースである）は、ＳＡＳコネクターと互換性を持つＳＡＴＡケーブル５０によって、前記マザーボード２０のＳＡＴＡコネクター２２に接続される。それから前記サーバー１００をパワーオンすると、前記スイッチング回路８０は、前記ＳＡＴＡコネクター２２及び前記ＳＡＴＡケーブル５０によって前記ハードディスクドライブ３１からのＳＡＳ信号を受信し、前記スイッチング回路８０と前記ＳＡＳコネクター２４との間の接続を導通して、前記マザーボード２０が前記ＳＡＳカード４０、前記ＳＡＳコネクター２４、前記スイッチング回路８０及び前記ＳＡＴＡコネクター２２によって、前記ＳＡＴＡハードディスクドライブ３１と通信するようにする。
【００１５】
前記サーバー１００は、前記マザーボード２０に前記スイッチング回路８０及び前記ＳＡＳコネクター２４を設置し、前記ＳＡＳカード４０のＳＡＳコネクター４４と前記マザーボード２０のＳＡＳコネクター２４を接続し、前記ＳＡＴＡケーブル５０によって前記ハードディスクドライブ３１のデータインターフェース３７と前記マザーボード２０のＳＡＴＡコネクター２２を接続して、ＳＡＳハードディスクドライブとの通信を実現し、従って前記ＳＡＳハードディスクドライブを接続する場合、多数のＳＡＳケーブルの使用によるサーバーの放熱及び組立が不便である問題を解決する。
【００１６】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、添付の特許請求の範囲から決まる。
【符号の説明】
【００１７】
１０  シャシー
２０  マザーボード
２２  ＳＡＴＡコネクター
２４，４４  ＳＡＳコネクター
２５  電源
２８  アダプターボード
３０  ハードディスクドライブユニット
３１  ハードディスクドライブ
３２  ハウジング
３３  開口
３５  パワーインターフェース
３７  データインターフェース
４０  ＳＡＳカード
５０  ＳＡＴＡケーブル
６０，７０  ケーブル
８０  スイッチング回路
１００  サーバー
【図１】
2012226736.tif 000003
【図２】
2012226736.tif 000004